(57)【特許請求の範囲】
【請求項１】
上面に取出開口を有する筐体と、
前記筐体の前記上面にヒンジ部を介して取り付けられ、前記取出開口を開閉可能な上蓋と、
前記上蓋を押すことで前記上蓋を前記筐体に対し係合離脱可能なプッシュロック・オープン機構とを備え、前記プッシュロック・オープン機構が前記ヒンジ部から離間する位置に配置されるワンタッチ開閉容器であって、
前記筐体の前記上面が上に凸となる曲面形状であり、
前記筐体が前記取出開口の両外側に前記上面の高さの方が最大となる上面頂部を有し、
前記上面頂部どうしを結ぶ接線の下方に前記上蓋が位置し、
前記筐体がさらに前記筐体の下面に位置する底面開口を有し、前記底面開口が平面状の底蓋で塞がれ、
前記底蓋が、前記ワンタッチ開閉容器の外側に向け突き出す隆起部を備え、
前記隆起部が、前記ワンタッチ開閉容器の平面視において前記上蓋の外側であって、前記上面頂部以外の部分に対応する位置に配置され、
前記ワンタッチ開閉容器どうしを積み重ねたとき、前記隆起部が前記筐体の前記上面に接触することを特徴とするワンタッチ開閉容器。
【請求項２】
前記プッシュロック・オープン機構が、前記上蓋において前記ヒンジ部に対向する前記上蓋の先端領域に配置され、前記上蓋において前記上面頂部と前記上蓋の前記先端領域との間に位置する領域が、前記筐体の前記上面に対し窪む、請求項１に記載のワンタッチ開閉容器。
【請求項３】
前記隆起部が、前記上面の前記取出開口の外側であって、前記上面頂部と前記プッシュロック・オープン機構との間の領域に接触する位置に配置される、請求項１又は２に記載のワンタッチ開閉容器。
【請求項４】
前記隆起部が、水平に置かれた前記ワンタッチ開閉容器の上に別の前記ワンタッチ開閉容器を積み重ねたとき、上に載せた前記ワンタッチ開閉容器がほぼ水平になる高さを有する、請求項１〜３のいずれかに記載のワンタッチ開閉容器。
【発明の詳細な説明】
【技術分野】
【０００１】
本発明は、ワンタッチ開閉容器に関する。
【背景技術】
【０００２】
従来、蓋を押すだけで開閉可能なプッシュロック・オープン機構を備えるワンタッチ開閉容器は公知である。例えば特許文献１には、内容物取り出し用の取出し口を備えた容器部と、該容器部の取出し口を閉じるように容器部にヒンジ手段を介して揺動自在に連結された蓋と、該蓋を開方向に付勢するばね手段と、蓋の先端領域を容器部に押し付けるように押すことで蓋の先端領域を容器部にロックし、ロック状態にある蓋の先端領域を再度押すことでロックを解除する構成のプッシュロック・オープン機構を有するワンタッチ開閉容器が開示されている。
【先行技術文献】
【特許文献】
【０００３】
【特許文献１】特開２００７−２６１６７０号公報
【発明の概要】
【発明が解決しようとする課題】
【０００４】
特許文献１に開示された発明によれば、蓋を片手で簡単に安定して開閉することができると共に、すっきりとしたシンプルな形の外観を有するワンタッチ開閉容器が提供される。しかし、特許文献１に開示された発明では、蓋の上面が上に凸の曲面になっている。このため、例えば容器を積み重ねて輸送するときや、店頭に積み重ねて展示するときに、上側にある容器の底面が下側にある容器の蓋を押してしまい、蓋が意に反して開いてしまうことがある。
【０００５】
本発明は、複数個を積み重ねても蓋が意に反して開いてしまうことがないワンタッチ開閉容器を提供することを課題とする。
【課題を解決するための手段】
【０００６】
本発明は、上面に取出開口を有する筐体と、筐体の上面にヒンジ部を介して取り付けられ、取出開口を開閉可能な上蓋と、上蓋を押すことで上蓋を筐体に対し係合離脱可能なプッシュロック・オープン機構とを備え、プッシュロック・オープン機構がヒンジ部から離間する位置に配置されるワンタッチ開閉容器に関する。
【０００７】
本発明の開閉機構は、筐体の上面が上に凸となる曲面形状であり、筐体が取出開口の両外側に上面の高さの方が最大となる上面頂部を有し、上面頂部どうしを結ぶ接線の下方に上蓋が位置することを特徴とする。
【発明の効果】
【０００８】
本発明では、筐体が取出開口の両外側に上面の高さの方が最大となる上面頂部を有し、上面頂部どうしを結ぶ接線の下方に上蓋が位置するので、ワンタッチ開閉容器を積み重ねたときに、上側にある容器の底面が下側にある容器の上蓋を押してしまい、上蓋が意に反して開いてしまうことがない。
【図面の簡単な説明】
【０００９】
図面は、本発明の特定の実施の形態を示し、発明の不可欠な構成ばかりでなく、選択的及び好ましい実施の形態を含む。
【図１】本発明の開閉機構を備えるワンタッチ開閉容器の斜視図。
【図２】図１のＩＩ−ＩＩ線断面図。
【図３】図１のＩＩＩ−ＩＩＩ線断面図。
【図４】図４（ａ）〜（ｄ）は係止突起をロック具により係止するまでの過程を表す図、図４（ｅ）〜（ｆ）は係止突起の係止を解除する過程を表す図。
【図５】第２実施形態に係る容器を積み重ねた状態を表す図。
【図６】隆起部、上蓋、及び上面頂部の位置関係を表す図。
【発明を実施するための形態】
【００１０】
下記の実施の形態は添付の図面に示すワンタッチ開閉容器に関し、発明の不可欠な構成ばかりではなく、選択的及び好ましい構成を含む。以下、添付の図面を参照して、本発明のワンタッチ開閉容器がティッシュペーパを収容するための容器１である場合を例に説明する。
【００１１】
＜第１実施形態＞
図１〜図３に示すように、容器１は、筐体１５と、上蓋１２と、底蓋１６とを備え、上蓋１２はヒンジ部１４を介して筐体１５に対し旋回動可能に連結されている。筐体１５は、上面１１に位置する取出開口１３と、下面１９に位置する底面開口１８とを有する。取出開口１３は上蓋１２により開閉可能に覆われ、底面開口１８は底蓋１６で塞がれる。ティッシュペーパ２は筐体１５と底蓋１６との間に形成される空間内に収納され、取出開口１３から取り出される。また、上蓋１２を押すことで上蓋１２を筐体１５に対し係合離脱可能なプッシュロック・オープン機構３１が、ヒンジ部１４から離間する位置に配置されている。本実施形態では、プッシュロック・オープン機構３１は、上蓋１２において取出開口１３を挟んでヒンジ部１４と対向する上蓋１２の先端領域１２ａに配置されている。筐体１５と上蓋１２との間のヒンジ部１４近傍には、上蓋１２を開く方向に付勢する弾性部材２２が配置されている。図示例の弾性部材２２は、折り畳まれたゴムシート片であるが、金属製のバネを用いることもできる。図示例では、取出開口１３に環状のパッキング２３を備えるシール部材２４が取り付けられている。但し、本発明ではシール部材２４は必須ではない。底蓋１６は、筐体１５の底面開口１８を完全に覆うことが可能な形状を有する平板状の部材である。底蓋１６の外周縁には、底蓋１６を底面開口１８に嵌合させるための周縁嵌合部１６ａが形成されている。なお、図２では開放された状態の上蓋１２の図示を一部省略している。
【００１２】
ヒンジ部１４には、筐体１５に立設され円形孔を有するリブ７と、上蓋１２に設けられたピン８とが含まれ、リブ７の円形孔に上蓋１２のピン８を挿入することにより、上蓋１２が筐体１５に対し旋回動可能に連結されている。すなわち、上蓋１２は、ヒンジ部１４に含まれるピン８の延在方向に平行に延びるヒンジ軸の周囲を旋回する。
【００１３】
筐体１５の上面１１は上に凸となる曲面形状である。また、筐体１５の上面１１は、取出開口１３の両外側に、上面１１の高さが最大となる上面頂部１７を有する。別言すれば、上面頂部１７は取出開口１３の外側に２箇所以上配置される。上面頂部１７の形状は上に凸となる曲面でもよいし、上面１１の高さが最大となる平坦面でもよい。本実施形態では、上面頂部１７は取出開口１３の両側に１箇所ずつ配置された、上に凸となる形状の曲面である。取出開口１３の両外側に配置された上面頂部１７は、ヒンジ軸と平行な方向において、取出開口１３をはさんで対向している。上蓋１２は、上面頂部１７どうしを結ぶ接線２０の下方に位置する。このように、筐体１５の上面１１の高さが最大となる上面頂部１７において上蓋１２が筐体１５に対し窪んでいることにより、容器１を積み重ねたとき、上蓋１２が容器１の底蓋１６に押されて意に反して開いてしまうことがない。なお、上面１１の高さとは、容器１を水平面上に置いたときの、水平面から上面１１までの距離を意味する。
【００１４】
プッシュロック・オープン機構３１を上蓋１２の先端領域１２ａに配置する場合、上蓋１２において上面頂部１７の間に位置する部分に加え、上面頂部１７と上蓋１２の先端領域１２ａとの間に位置する領域１２ｂも、筐体１５の上面１１に対し窪ませることができる。
【００１５】
しかし、筐体１５の上面頂部１７以外の部分において、筐体１５の上面１１よりも上蓋１２の方を高くすることもできる。例えば、上面頂部１７とヒンジ部１４との間の領域１２ｃに位置する上蓋１２を押しても、上蓋１２とプッシュロック・オープン機構３１との係合を解除するために必要な距離だけ上蓋１２が下方に移動しない場合は、上面頂部１７とヒンジ部１４との間の領域１２ｃに、上面１１よりも上蓋１２の方が高くなる部分を設けることができる。一例を挙げると、プッシュロック・オープン機構３１を、上蓋１２においてヒンジ部１４と対向する上蓋１２の先端領域１２ａに配置するとともに、筐体１５及び上蓋１２を熱可塑性樹脂で成型する。さらに、筐体１５及び上蓋１２の肉厚を適宜調整して、上蓋１２の上面頂部１７とヒンジ部１４との間の領域１２ｃを押したとき、上面頂部１７とヒンジ部１４の間の領域１２ｃと、ヒンジ部１４との少なくとも一方が下方に撓むようにする。これにより、上蓋１２の上面頂部１７とヒンジ部１４との間の領域１２ｃを押した際に、上蓋１２の先端領域１２ａが上蓋１２とプッシュロック・オープン機構３１との係合を解除するために必要な距離だけ下方に移動することを防止できる。
【００１６】
プッシュロック・オープン機構３１には、係止突起３４を備える係止具３３と、係止具３３の係止突起３４に対し係合及び離脱可能なロック具３２とが含まれる。図２に示すように、本実施形態では、係止具３３は、ヒンジ軸に直交する方向においてヒンジ部１４に対向する上蓋１２の先端領域１２ａの裏側に立設されている。また、ロック具３２は筐体１５に配置されており、上蓋１２を閉じたとき、係止具３３の係止突起３４がロック具３２に進入する。ロック具３２は平板状の部材であり、筐体１５においてヒンジ部１４に離間対向する位置に形成されたロック具収容室３５内に、ヒンジ軸に平行な方向に摺動可能に収納されている。ロック具収容室３５は、上蓋１２に立設された係止具３３の係止突起３４が進入可能な透孔３６を備える。
【００１７】
図４を参照して、ロック具３２の表面には、係止突起３４が進入及び退出可能な出入口部４１と、係止突起３４が係合可能な係合部４２と、係止突起３４を出入口部４１から係合部４２まで案内する進入溝４３と、係止突起３４を係合部４２から出入口部４１まで案内する退出溝４４が形成されている。進入溝４３と退出溝４４はいずれも、係止突起３４を案内する方向が反転する方向反転部４５ａ，４５ｂを有する。ロック具３２において、係合部４２は出入口部４１と方向反転部４５ａ，４５ｂとの間に位置する。また、ロック具３２に形成された出入口部４１は、ロック具収容室３５の透孔３６に連通する。
【００１８】
進入溝４３の深さは出入口部４１から方向反転部４５ａに向かうに従い浅くなり、方向反転部４５ａを過ぎた後急に深くなる。係合部４２は、進入溝４３よりもさらに深く形成されている。また、係合部４２と退出溝４４との境界では、退出溝４４の方が深くなっている。退出溝４４の深さは係合部４２から方向反転部４５ｂを経て出入口部４１に向かうに従い次第に浅くなる。出入口部４１では、進入溝４３の深さの方が、退出溝４４よりも深くなっている。前述のように上蓋１２は開方向に付勢されているので、進入溝４３に進入した係止突起３４は出入口部４１に向け付勢されている。したがって、上蓋１２を押して閉じる際、上蓋１２に形成された係止突起３４をロック具３２の進入溝４３の方向反転部４５ａまで進入させれば、出入口部４１に向け付勢されている係止突起３４が係合部４２に落ち込んで静止する。これにより上蓋１２が閉止される。閉止された上蓋１２を再度押すと、係止突起３４は係合部４２から脱離し、方向反転部４５ｂを経て出入口部４１に至り、さらにロック具収容室３５の透孔３６を通過することにより、上蓋１２が開放される。
【００１９】
本発明のプッシュロック・オープン機構３１の具体的構造は上記実施形態に限定されない。例えばロック具３２を上蓋１２に配置し、係止具３３を筐体１５に配置することができる。また、ロック具３２を摺動させる構造に代えて、係止具３３を摺動または揺動させる構造にすることもできる。さらに、前述の特許文献１の図１０〜図１６に開示されたプッシュロック・オープン機構を採用することもできる。また、プッシュロック・オープン機構３１を上蓋１２の先端領域１２ａに配置することは必須ではない。例えば、プッシュロック・オープン機構３１をヒンジ部１４と上蓋１２の先端領域１２ａとの間の領域において、上蓋１２の両側のいずれか一方又は両方に配置することもできる。
【００２０】
＜第２実施形態＞
次に、図５、図６を参照して第２実施形態について説明する。本実施形態は、容器１の底蓋１６に隆起部２１が形成されている点を除き、第１実施形態と同一である。以下の説明では、第１実施形態と同一の構成に関する説明を省略または簡略化している。また、図５、図６では、理解を容易にするために容器１、上蓋１２、及び底蓋１６の形状を簡略化して図示しており、ロック具３２、シール部材２４、弾性部材２２、ヒンジ部１４、ティッシュペーパ２の図示は省略している。
【００２１】
隆起部２１は平板状の底蓋１６に形成され、容器１の外側に向け突き出す。隆起部２１は、容器１の平面視において、取出開口１３の外側、好ましくは上蓋１２の外側であって、上面頂部１７以外の部分に対応する位置に配置され、容器１どうしを積み重ねたとき、底蓋１６に形成された隆起部２１が筐体１５の上面１１に接触する（図５参照）。これにより、容器１を積み重ねたときに、上側にある容器１が揺れ動いたときでも、上側にある容器１の底蓋１６が下側にある容器１の上蓋１２に接触して上蓋１２が意に反して開いてしまうことを防止できる。隆起部２１は、水平に置かれた容器１の上に別の容器１を積み重ねたとき、上に乗せた容器がほぼ水平に保たれる高さを有することが好ましい。
【００２２】
筐体１５の上面１１の上面頂部１７以外の部分において、上面１１よりも上蓋１２の方が高い場合であっても、底蓋１６に隆起部２１を形成することによって、上蓋１２と底蓋１６との接触を防止することが可能である。例えば、隆起部２１を、容器１の平面視において上面頂部１７とプッシュロック・オープン機構３１が配置された上蓋１２の先端領域１２ａとの間の領域１２ｂに設ければ、上蓋１２の先端領域１２ａを筐体１５の上面１１よりも高くすることができる。この場合、上蓋１２の先端領域１２ａの肉厚を厚くして上面１１よりも高くするとともに、先端領域１２ａの肉厚の領域に係止具３３を立設することができる。これにより、係止具３３の基端部が補強され、上蓋１２の開閉の繰返しにより係止具３３が折損することを防止できる。
【００２３】
図５、図６には、容器１の平面視において上面頂部１７とプッシュロック・オープン機構３１との間の領域（図示例では上面頂部１７と先端領域１２ａとの間の領域１２ｂ）に対応する位置に、隆起部２１を２箇所設けた場合を例示している。しかし、隆起部２１の配置は図示例に限定されない。例えば、容器１の平面視において、上面１１の取出開口１３の外側であって、上面頂部１７以外の部分に対応する位置に、隆起部２１を３箇所以上配置することもできる。また、隆起部２１と周縁嵌合部１６ａとを兼用することも可能であり、例えば底蓋１６の周縁嵌合部１６ａに、容器１の下方に向け延び出す延出部を設けることにより、容器１を積み重ねたときの上蓋１２と底蓋１６との接触を防止することできる。
【００２４】
図示例では、容器１の側面視において、隆起部２１は底蓋１６の周縁嵌合部１６ａから突き出していないので、容器１を机や棚に安定的に載置することができる。しかし、本発明はこれに限定されず、隆起部２１を３箇所以上設けて底蓋１６の周縁嵌合部１６ａから突き出させ、容器１を机や棚に安定的に載置可能にすることもできる。また、筐体１５の上面１１と隆起部２１との接触面の形状は、点状であっても面状であってもよい。筐体１５の上面１１と隆起部２１との接触面が面状である場合、隆起部２１側の接触面に凹凸を形成して、筐体１５の上面１１との間の摩擦を大きくして滑り難くすることができる。
【００２５】
以上、本発明について実施形態に基づき説明したが、本発明はこれらに限定されず、種々変更して実施することができる。例えば図示例の容器１の外観形状は丸みを帯びた直方体であるが、上に凸となる形状である限り、球体または楕円体等の任意の形状を選択することができる。本発明の開閉容器の開閉機構を製造するための材料は特に限定されず、熱可塑性樹脂、金属、熱可塑性エラストマー等の公知の材料から任意に選択することができる。
【００２６】
以上に記載した本発明に関する開示は、少なくとも下記の事項に整理することができる。
上面に取出開口を有する筐体と、筐体の上面にヒンジ部を介して取り付けられ、取出開口を開閉可能な上蓋と、上蓋を押すことで上蓋を筐体に対し係合離脱可能なプッシュロック・オープン機構とを備え、プッシュロック・オープン機構がヒンジ部から離間する位置に配置されるワンタッチ開閉容器であって、筐体の上面が上に凸となる曲面形状であり、筐体が取出開口の両外側に上面の高さの方が最大となる上面頂部を有し、上面頂部どうしを結ぶ接線の下方に上蓋が位置し、筐体がさらに筐体の下面に位置する底面開口を有し、底面開口が平面状の底蓋で塞がれ、底蓋が、ワンタッチ開閉容器の外側に向け突き出す隆起部を備え、隆起部が、ワンタッチ開閉容器の平面視において上蓋の外側であって、上面頂部以外の部分に対応する位置に配置され、ワンタッチ開閉容器どうしを積み重ねたとき、隆起部が筐体の上面に接触することを特徴とする。
【００２７】
上記段落００２６に開示した本発明は、少なくとも下記の実施の形態を含むことができる。該実施の形態は、分離して又は互いに組み合わせて採択することができる。
（１）プッシュロック・オープン機構が、上蓋においてヒンジ部に対向する上蓋の先端領域に配置され、上蓋において上面頂部と上蓋の先端領域との間に位置する領域が、筐体の上面に対し窪む。
（２）隆起部が、上面の取出開口の外側であって、上面頂部とプッシュロック・オープン機構との間の領域に接触する位置に配置される。
（３）隆起部が、水平に置かれたワンタッチ開閉容器の上に別のワンタッチ開閉容器を積み重ねたとき、上に載せたワンタッチ開閉容器がほぼ水平になる高さを有する。
【符号の説明】
【００２８】
１      容器
１１    上面
１２    上蓋
１２ａ  先端領域
１２ｂ  上面頂部と先端領域との間の領域
１２ｃ  上面頂部とヒンジ部との間の領域
１３    取出開口
１４    ヒンジ部
１５    筐体
１６    底蓋
１７    上面頂部
１８    底面開口
１９    下面
２０    接線
２１    隆起部
３１    プッシュロック・オープン機構
【図１】
0006534858.tif 000002
【図２】
0006534858.tif 000003
【図３】
0006534858.tif 000004
【図４】
0006534858.tif 000005
【図５】
0006534858.tif 000006
【図６】
0006534858.tif 000007